(57)【要約】【課題】  横樋の着脱容易及び横樋の取付けに際して取付傾斜角度の調整容易な横樋取付装置を提供する。【解決手段】  遊技機枠の裏面１１に球を一端から他端に向けて流下させる横樋１を取付ける横樋取付装置において、遊技機枠の裏面１１に設けられた掛止部１３と、横樋の側壁の遊技機枠の裏面と向き合う外側面に設けられた受止部１２と、掛止部１３と受止部１２との双方を連結する取付具１５とを備え、取付具が、掛止部に係脱可能に吊り下げられる上係合部３０と、上係合部から下方に延設された縦壁１６と、縦壁の下端に設けられて受止部を係留支持する下係合部３１とを備えた。【選択図】        図１
2005177043.tif 000002
【特許請求の範囲】
【請求項１】
遊技機枠の裏面に球を一端から他端に向けて流下させる横樋を取付ける横樋取付装置において、遊技機枠の裏面に設けられた掛止部と、横樋の側壁の遊技機枠の裏面と向き合う外側面に設けられた受止部と、掛止部と受止部との双方を連結する取付具とを備え、取付具が、掛止部に係脱可能に吊り下げられる上係合部と、上係合部から下方に延設された縦壁と、縦壁の下端に設けられて受止部を係留支持する下係合部とを備えたことを特徴とする横樋取付装置。
【請求項２】
縦壁の長さの異なる複数の取付具を設け、これら取付具を１つ以上用いて遊技機枠の裏面に横樋を取付けたことを特徴とする請求項１に記載の横樋取付装置。
【請求項３】
横樋の球の流れる方向の中央部分を１組の取付具、受止部、掛止部で支持することにより遊技機枠の裏面に横樋を取付けたことを特徴とする請求項１に記載の横樋取付装置。
【発明の詳細な説明】
【技術分野】
【０００１】
本発明は横樋の着脱容易及び横樋の取付けに際して取付傾斜角度の調整容易な横樋取付装置に関する。
【背景技術】
【０００２】
遊技機用の横樋の取付構造としては、タンクから供給された球を一端側で受けて他端側に流下させて球払出機構に供給する横樋を、遊技機枠の裏面に複数のねじにより着脱可能とした構造が知られている。
【特許文献１】特開平８−２４３２１１号公報（図２）
【発明の開示】
【発明が解決しようとする課題】
【０００３】
特許文献１では、ねじにより横樋を着脱するので、横樋の着脱作業が煩雑である。また、横樋は、一端側から他端側に向かって下方に傾斜するように配置され、一端側がタンクの球出口に連結され、横樋の他端側が縦形球樋の球入口に連結されて、タンクから横樋の一端側に供給される球を他端側に流下させて縦形球樋の球入口に供給するものである。従って、タンクの球出口や縦形球樋の球入口の位置が変われば、横樋の取付けに際して横樋の取付傾斜角度を変更する必要がある。しかしながら、特許文献１のようなねじによる取付けでは、横樋の取付けに際して横樋の取付傾斜角度を変更できない。
【課題を解決するための手段】
【０００４】
本発明は、遊技機枠の裏面に球を一端から他端に向けて流下させる横樋を取付ける横樋取付装置において、遊技機枠の裏面に設けられた掛止部と、横樋の側壁の遊技機枠の裏面と向き合う外側面に設けられた受止部と、掛止部と受止部との双方を連結する取付具とを備え、取付具が、掛止部に係脱可能に吊り下げられる上係合部と、上係合部から下方に延設された縦壁と、縦壁の下端に設けられて受止部を係留支持する下係合部とを備えたことを最も特徴とする。縦壁の長さの異なる複数の取付具を設け、これらの取付具を１つ以上用いて遊技機枠の裏面に横樋を取付けたこと、横樋の球の流れる方向の中央部分を１組の取付具、受止部、掛止部で支持することにより遊技機枠の裏面に横樋を取付けたことも特徴とする。
【発明の効果】
【０００５】
本発明の横樋取付装置によれば、受止部と掛止部と取付具とを備えたので、遊技機枠の裏面への横樋の着脱を簡単にできる。また、横樋の取付傾斜角度に合せて縦壁の長さの異なる取付具を用いることで、横樋の取付傾斜角度の調整が容易となる。横樋の球の流れる方向の中央部分を１組の取付具、受止部、掛止部で支持し、横樋自体の角度を調整することで、横樋の取付傾斜角度の調整が容易となる。
【発明を実施するための最良の形態】
【０００６】
図１−図４は、第１実施形態である。図１は横樋取付装置を分解して示し、図２は横樋取付装置を遊技機枠の裏側から示し、図３は横樋取付装置の断面を示し、図４はパチンコ機の裏面を示す。
【０００７】
図１を参照し、横樋取付装置を説明する。横樋１は、球を図４に示すタンク４１から払出機構４３に誘導しつつ一列に整列して供給するものであって、材料を限定するものではないが、光透過性のある合成樹脂により、一端から他端に向けて球を自然流下する、上方に開放された横長な箱形に形成された形態である。横樋１は底部２の球の流れる方向に沿った両側縁より上方に立ち上がって平行に相対峙する側壁３；３Ａを有し、横樋１の内部には、２つの球通路４；４が、横樋１の底部２から上方に突出する仕切壁５によって形成される。仕切壁５は、図１に矢印Ｘで示す球の流れる方向と直交する横方向の中央において、横樋１の一端から他端にわたり直線的に存在する。横樋１の他端部における底部２には、上下方向に貫通する球出口６；６が球通路４毎に設けられる。球通路４の球出口６側には整流部７；７を備える。２つの球出口６は、横樋１の底部２の他端から上方に突出する他端弧状壁８と仕切壁５とに連接された隔壁９で、互いに隔てられる。横樋１の側壁３；３Ａのうち、遊技機枠１０の裏面１１と向き合う側壁３Ａの外側面には受止部１２を備える。リアプレートと呼ばれるような裏機構板で形成された遊技機枠１０の裏面１１には掛止部１３を備える。受止部１２と掛止部１３との双方を取付具１５により互いに連結することで、横樋１を遊技機枠１０の裏面１１に取付ける。即ち、受止部１２と掛止部１３と取付具１５とで横樋取付装置を構成する。掛止部１３は、遊技機枠１０の裏面１１において横方向に水平に等間隔を隔てて数個、例えば４個設けられる（図２参照）。一方、受止部１２は、掛止部１３に対応して側壁３Ａの外側面の一端側から他端側にかけて等間隔を隔てて数個、例えば４個設けられる（図２参照）。
【０００８】
取付具１５は、縦壁１６と、縦壁１６の上端より縦壁１６の面と垂直となる方向に延長する突出片１７と、突出片１７の先端より垂直に立ち下がる立下片１８と、縦壁１６の下端より縦壁１６の面と垂直となる方向でかつ上記突出片１７と反対方向に延長する突出片１９と、この突出片１９の先端より垂直に立ち上がる立上片２０とで形成される。受止部１２は、側壁３Ａの外側面より外側面に対して垂直に延長する突出片２１と、この突出片２１の先端より下方に垂直に立ち下がる立下片２２とで形成される。掛止部１３は、受止部１２の設けられた側壁３Ａの外側面と対向する遊技機枠１０の裏面１１より垂直に延長する突出片２３と、この突出片２３の先端より上方に垂直に立ち上がる立上片２４とで形成される。取付具１５の縦壁１６の上端側の面と突出片１７と立下片１８とで形成される溝部２５の下方及び横方から掛止部１３の立上片２４を挿入可能で、掛止部１３の遊技機枠１０の裏面１１と突出片２３と立上片２４とで形成される溝部２６に上方及び横方から取付具１５の立下片１８を挿入可能である。取付具１５の縦壁１６の下端側の面と突出片１９と立上片２０とで形成される溝部２７の上方及び横方から受止部１２の立下片２２を挿入可能で、受止部１２の側壁３Ａの外側面と突出片２１と立下片２２とで形成される溝部２８に下方及び横方から取付具１５の立上片２０を挿入可能である。取付具１５の突出片１７と立下片１８とで取付具１５の上係合部３０が形成され、上係合部３０から下方に延設された縦壁１６の下端に設けられた突出片１９と立上片２０とで取付具１５の下係合部３１が形成される。即ち、取付具１５は、掛止部１３に係脱可能に吊り下げられる上係合部３０と、上係合部３０から下方に延設された縦壁１６と、縦壁１６の下端に設けられて受止部１２を係留支持する下係合部３１とを備える。取付具１５は縦壁１６の長さの異なるものを複数備える。
【０００９】
図３を参照し、横樋取付装置の作用を説明する。掛止部１３に取付具１５の上係合部３０を係合し、取付具１５の下係合部３１に受止部１２を係合することで、横樋１を遊技機枠１０の裏面１１に取付ける。そして、取付具１５の下係合部３１より受止部１２を取外すことで、横樋１を遊技機枠１０の裏面１１から取外す。
【００１０】
図４を参照し、遊技機枠１０の裏面１１を説明する。横樋１は、遊技機枠１０の裏面１１に取付けられたタンク４１の球出口より供給される球を横樋１の一端側で受けて横樋１の他端側に流下させることで、球を縦形球樋４２経由で払出機構４３に供給する。従って、横樋１は、球通路４；４の底面が一端側から他端側に向かって下方に傾斜した状態に横樋取付装置で遊技機枠１０の裏面１１に取り付けられる。そして、横樋１の一端側がタンク４１の球出口に対応するようにタンク４１あるいは遊技機枠１０の裏面１１に連結部材４４で連結され、横樋１の他端側が連結部材４５により縦形球樋４２の球入口に連結される。図外の球供給機構からタンク４１に供給された球は横樋１、縦形球樋４２、払出機構４３、球樋４６を経由して遊技機枠１０の前面に設けられた皿装置４７に払出される。
【００１１】
第１実施形態によれば、例えば、図２に示すように、４つの取付具１５を用いて横樋１を遊技機枠１０の裏面１１に着脱可能に取付けることができ、着脱作業が容易となる。また、複数組の取付具１５，受止部１２，掛止部１３で構成された複数の取付部により横樋取付装置を構成したので、横樋１を安定に取付けることできる。また、縦壁１６の異なる複数の取付具１５を備えるので、縦形球樋４２を交換して縦形球樋４２の球入口の位置が変わった場合やタンク４１を交換してタンク４１の球出口の位置が変わった場合に、取付具１５を変更することで、水平に対する横樋１の取付傾斜角度α（図４参照）を容易に調整することが可能となる。尚、横樋１の一端側とタンク４１の球出口との連結部材４４や横樋１の他端側と縦形球樋４２の球入口との連結部材４５についても交換の必要があれば交換すればよい。
【００１２】
図５は第２実施形態を示す。横樋１の一端側はタンク４１の球出口に対応するようにタンク４１あるいは遊技機枠１０の裏面１１に連結部材４４で連結され、横樋１の他端側は連結部材４５により縦形球樋４２の球入口に連結される。即ち、横樋１の一端側と他端側は連結部材４４、４５で固定されるので、例えば、横樋１の球の流れる方向の中央部分を１組の取付具１５、受止部１２、掛止部１３で支持することで、遊技機枠１０の裏面１１に横樋１を取付けてもよい。この場合、横樋１自体の取付角度を調整することによって横樋の取付傾斜角度αを容易に調整できる。即ち、図５のａ図に示すように、取付具１５の使用形態としては、取付具１５の立上片２０の水平な上端面５０全体で受止部１２の突出片２１の内側面５１を支持する形態のほかに、図５のｂ図やｃ図に示すように、取付具１５の立上片２０の水平な上端面５０の一方の角５２で受止部１２の突出片２１の内側面５１を支持したり、取付具１５の立上片２０の水平な上端面５０の他方の角５３で受止部１２の突出片２１の内側面５１を支持することで横樋１を支持することが可能である。よって、横樋１の取付傾斜角度αを大きくする場合には、図５のｂ図に示すように、取付具１５の立上片２０の水平な上端面５０の一方の角５２で受止部１２の突出片２１の内側面５１を支持することで、横樋１の取付傾斜角度αを容易に調整できる。また、横樋１の取付傾斜角度αを小さくする場合には、図５のｃ図に示すように、取付具１５の立上片２０の水平な上端面５０の他方の角５３で受止部１２の突出片２１の内側面５１を支持することで横樋１の取付傾斜角度αを容易に調整できる。
【産業上の利用可能性】
【００１３】
本発明の横樋１は、パチンコ機や、遊技媒体としてパチンコ球を使用するスロットマシン等の遊技機に使用できる。
【図面の簡単な説明】
【００１４】
【図１】横樋取付装置を示す分解斜視図（第１実施形態）。
【図２】横樋取付装置を遊技機の裏面側から見た図（第１実施形態）。
【図３】横樋取付装置の断面図（第１実施形態）。
【図４】横樋が取付けられたパチンコ機の裏面を示す図（第１実施形態）。
【図５】横樋取付装置の取付傾斜角度の調整方法を示す図（第２実施形態）。
【符号の説明】
【００１５】
１  横樋、１０  遊技機枠、１１  遊技機枠の裏面、１２  受止部、１３  掛止部、
１５  取付具、３０  上係合部、３１  下係合部。
【図１】
2005177043.tif 000003
【図２】
2005177043.tif 000004
【図３】
2005177043.tif 000005
【図４】
2005177043.tif 000006
【図５】
2005177043.tif 000007